(57)【要約】【課題】  撮影装置を記録メディアごと盗難や紛失した場合でも、画像データの読み出しを防ぐ工夫が施された撮影装置を提供する。【解決手段】  上記目的を達成する本発明の撮影装置は、画像データに基づく画像を再生する機能を有するコンピュータ１００との間で通信してコンピュータ１００に対する画像データの送信とその外部機器の固有情報の受信とを行う通信部５０６と、この撮影装置であるデジタルカメラ１の固有情報、記録メディア１８の固有情報、およびコンピュータ１００の固有情報から３種類の暗号鍵を生成する暗号鍵生成部５０１と、それら３種類の暗号鍵を用いて暗号化して、装着されている記録メディアに記録する暗号化部５０２と、装着されている記録メディア１８から暗号化された画像データを読み出して復号化する復号化部５０３とを備えたことを特徴とする。【選択図】        図３
2007116235.tif 000002
【特許請求の範囲】
【請求項１】
被写体像を捉えて画像データを生成し、生成した画像データを、着脱自在に装着された記録メディアに記録する撮影装置において、
画像データに基づく画像を再生する機能を有する外部機器との間で通信して該外部機器に対する画像データの送信と該外部機器の固有情報の受信とを行う通信部と、
この撮影装置の固有情報、この撮影装置に装着された記録メディアの固有情報、および前記外部機器の固有情報から３種類の暗号鍵を生成する暗号鍵生成部と、
被写体像を捉えて生成した画像データを前記暗号鍵生成部で生成した３種類の暗号鍵を用いて暗号化して、装着されている記録メディアに記録する暗号化部と、
装着されている記録メディアから暗号化された画像データを読み出して復号化する復号化部とを備えたことを特徴とする撮影装置。
【請求項２】
前記通信部での前記外部機器の固有情報の受信時点からの時間を計測する計測部と、
前記計測部で所定時間が計測された時点で、前記固有情報から作成した暗号鍵と前記外部機器の固有情報とを消去する消去部とを備えたことを特徴とする請求項１記載の撮影装置。
【発明の詳細な説明】
【技術分野】
【０００１】
本発明は、撮像素子上に被写体像を結像し撮影操作に応じて画像データを生成する撮影装置に関する。
【背景技術】
【０００２】
近年、個人が所有する情報に関する保護意識の高まりから、情報の漏洩などを防ぐため、適切な対策が求められている。例えば、記録メディアに保存されている情報を許可なく勝手に第３者が読むことを防ぐため、情報を暗号化して記録する技術が提案されている（例えば、特許文献１、２参照。）。
【０００３】
特許文献１には、記録メディアを装着して使用する機器の固有情報である識別ＩＤから暗号化のための暗号鍵を生成して、その暗号鍵に基づいて情報を暗号化して記録メディアに記録する方式が採用されている。そして、この暗号鍵が生成されたときに用いられた機器のみに限定して情報が読み取れるようになっている。このため、この特許文献１に開示された技術を用いて記録メディアに記録された情報は、特定の機器のみで読み取りが可能となるため、情報の漏洩が起こりにくくなる。
【０００４】
また、特許文献２には、情報が記録されている記録メディアを有する機器から、ネットワークを介して、管理センターにその機器の固有情報である識別ＩＤを送信し、管理センターから１つの暗号鍵を入手してその情報を暗号化する技術が提案されている。こうすることで、複数の機器にそれぞれ割り当てられる暗号鍵を管理センターが一括して管理し、情報の漏洩などを防いでいる。
【特許文献１】国際公開第０３／３４６５１号パンフレット
【特許文献２】特開２００３−２２４５５７号公報
【発明の開示】
【発明が解決しようとする課題】
【０００５】
ところで、撮影装置の１つであるデジタルカメラは、記録メディアが着脱自在に装着されているものが一般的である。ここで、撮影装置を記録メディアごと盗まれたり紛失した場合、個人の情報を保護する観点から、記録メディアに記録されている画像データについては、第３者に見られることを防ぐための手段が施されていることが望ましい。
【０００６】
しかし、特許文献１の技術をデジタルカメラに適用した場合、デジタルカメラを記録メディアごと盗まれたり紛失したときには、第３者が、記録メディアを装着して使用するデジタルカメラの固有情報である識別ＩＤを入手することになる。暗号化処理では、機器の固有情報から暗号鍵を生成することは、一つの手段として容易に想像がつくので、第３者によって暗号化された画像データの復号化がなされるというおそれが生じてしまう。
【０００７】
また、特許文献２の技術をデジタルカメラに適用した場合、記録メディアをデジタルカメラごと盗まれたり紛失したときには、第三者が暗号鍵を入手可能となり、暗号化された画像データの復号化が容易になされるという問題が生じてしまう。
【０００８】
本発明は、上記事情に鑑み、撮影装置を記録メディアごと盗まれたり紛失した場合であっても、記録メディアに記録されている画像データの読み出しを防ぐ工夫が施された撮影装置を提供することを目的とする。
【課題を解決するための手段】
【０００９】
被写体像を捉えて画像データを生成し、生成した画像データを、着脱自在に装着された記録メディアに記録する撮影装置において、
画像データに基づく画像を再生する機能を有する外部機器との間で通信して該外部機器に対する画像データの送信と該外部機器の固有情報の受信とを行う通信部と、
この撮影装置の固有情報、この撮影装置に装着された記録メディアの固有情報、および前記外部機器の固有情報から３種類の暗号鍵を生成する暗号鍵生成部と、
被写体像を捉えて生成した画像データを前記暗号鍵生成部で生成した３種類の暗号鍵を用いて暗号化して、装着されている記録メディアに記録する暗号化部と、
装着されている記録メディアから暗号化された画像データを読み出して復号化する復号化部とを備えたことを特徴とする。
【００１０】
撮影装置の固有情報、記録メディアの固有情報、および撮影装置に記憶されている外部機器の固有情報を用いて３種類の暗号鍵を生成して暗号化する方式を採用することで、撮影装置を記録メディアごと盗まれたり紛失した場合であっても、第３者が３種類の暗号鍵で暗号化していることを知ることは困難である。また、撮影装置の固有情報を用いて１種類の暗号鍵を生成して暗号化する方式に比べて、暗号化が複雑化するため復号化も困難になり、画像データの安全性が高められる。
【００１１】
上記通信部での上記外部機器の固有情報の受信時点からの時間を計測する計測部と、
上記計測部で所定時間が計測された時点で、前記固有情報から作成した暗号鍵と前記外部機器の固有情報とを消去する消去部とを備えたことが好適である。
【００１２】
撮影装置内部に保存されている外部機器の固有情報および外部機器の暗号鍵が、所定時間経過後に自動的に削除されることにより、画像データの読み出しには、暗号鍵を生成するのに用いられた固有情報を有する外部機器に再度接続する必要が生じるので、画像データの読み出しが極めて困難になり、撮影装置内に外部機器の固有情報および外部機器の暗号鍵を保持し続けるよりも、さらに画像データの安全性が高められる。
【発明の効果】
【００１３】
以上、説明したように、撮影装置を記録メディアごと盗まれたり紛失した場合であっても、記録メディアに記録されている画像データの読み出しを防ぐ工夫が施された撮影装置を提供することができる。
【発明を実施するための最良の形態】
【００１４】
以下、本発明の実施の形態について説明する。
【００１５】
図１は本発明の一実施形態であるデジタルカメラ１の外観を示す図である。
以下図面を参照して、本発明の実施の形態を説明する。
【００１６】
図１は、本発明の第１実施形態であるデジタルカメラを示す外観斜視図である。
【００１７】
また、図２は、図１に示すデジタルカメラを背面から見た背面図である。
【００１８】
図１に示されるように、デジタルカメラ１の前面１１には、デジタルカメラ内部に配設されたレンズ群に被写体光を導くための対物レンズ１２、および被写体に向けて閃光を発光するための閃光発光窓１３が備えられ、デジタルカメラ１の上面１４には、レリーズボタン１５が備えられている。レリーズボタン１５の押下により静止画撮影が行われる。
【００１９】
このデジタルカメラ１の側面１６には、記録メディア装着口１７が設けられている。この記録メディア装着口１７から、画像データを記録する記録メディア１８が着脱自在に装着される。
【００２０】
また、図２に示されるように、このデジタルカメラ１の背面２１には、電源ボタン２２、モードスイッチ２３が設けられている。この電源ボタン２２は、デジタルカメラ１の電源をＯＮ／ＯＦＦするものであり、このモードスイッチ２３は、撮影モードと再生モードとを切り換えるスイッチである。
【００２１】
また、このデジタルカメラ１の背面２１には、メニュー切替えおよび実行キー２４が備えられている。このメニュー切替えおよび実行キー２４は、撮影に使用されるメニューを自在に切り替えて設定条件を選択して実行するキーである。
【００２２】
さらに、このデジタルカメラ１の背面２１には、広角ズームキー２５、望遠ズームキー２６、および液晶表示パネル２７が備えられている。広角ズームキー２５は、焦点距離を広角側に変更するためのキーであり、望遠ズームキー２６は、焦点距離を望遠側に変更するためのキーである。液晶表示パネル２７は、被写体の画像、メニュー切替えおよび実行キー２４のメニュー等を液晶表示するものである。
【００２３】
次に、デジタルカメラ１の内部構成を説明する。
【００２４】
図３は、コンピュータに接続されたデジタルカメラの内部の構成を示す図である。
【００２５】
このデジタルカメラ１には、通信部５０６、通信インターフェース（Ｉ／Ｆ）部５０７、および記憶部５０８が備えられている。通信インターフェース（Ｉ／Ｆ）部５０７は、画像データに基づく画像を再生する機能を有する外部機器であるコンピュータ１００と通信ケーブル５０９を介して接続されており、様々な通信規格に準拠した通信インターフェースを提供するものである。記憶部５０８は、デジタルカメラ１の固有情報、記録メディア１８の固有情報、およびコンピュータ１００の固有情報を記憶するものである。また、この記憶部５０８は、これらの固有情報から生成された暗号鍵を記憶するものである。さらに、この記憶部５０８は、記録メディアが未装着の状態で撮影されて生成した画像データを保存するためのメモリを有している。
【００２６】
デジタルカメラ１の固有情報は、製造時に記憶部５０８に記憶されており、記録メディア１８の固有情報は、記録メディア１８が、デジタルカメラ１に装着されることにより記憶部５０８に記憶される。コンピュータ１００の固有情報については後述する。
【００２７】
通信部５０６は、コンピュータ１００との間で通信してコンピュータ１００に画像データの送信したり、コンピュータ１００の固有情報の受信とを行うものである。
【００２８】
ここで、図４を用いて、コンピュータ１００の固有情報の取得について説明する。
【００２９】
図４は、本発明の第１実施形態であるデジタルカメラがコンピュータの固有情報を取得する処理を説明するためのフローチャートである。
【００３０】
まず、コンピュータ１００上で、このコンピュータ１００とデジタルカメラ１との間でコンピュータ１００の固有情報を送受信するための管理ソフトが起動されており、デジタルカメラ１が通信ケーブル５０９を介してコンピュータ１００に接続され、使用者がコンピュータ１００の固有情報を送信する操作をすることにより、この図４に示す処理が開始される。
【００３１】
まず、通信部５０６は、コンピュータ１００の固有情報を受信する（ステップS１００）。    この固有情報は、コンピュータ１００に配備されているネットワークカードが固有に持っている４８ビットのMAC（Mｅｄｉａ  Ａｃｅｓｓ  Ｃｏｎｔｒｏｌ）アドレスである。
【００３２】
続いて、そのコンピュータ１００の固有情報は、記憶部５０８に記憶され（ステップS１０２）、この処理ルーチンは終了する。
【００３３】
再び図３に戻って、デジタルカメラ１の内部構成の説明を続ける。
【００３４】
このデジタルカメラ１には、撮影レンズ３０１、アイリス３０２、およびＣＣＤ３０３が備えられている。なお、撮影レンズは、説明上、１枚のレンズとして模式的に描かれている。
【００３５】
このアイリス３０２は、被写体光を絞ったり、遮光したりするものである。
【００３６】
このＣＣＤ３０３は、レンズ３０１を経由してきた被写体光を捉える固体撮像素子である。
【００３７】
このデジタルカメラ１には、レンズ用モータドライバ４０１、レンズモータ４０１＿１、アイリス用モータドライバ４０２、アイリスモータ４０２＿２、およびタイミングジェネレータ４０３が備えられている。
【００３８】
このレンズ用モータドライバ４０１は、レンズモータ４０１＿１を介してレンズ３０１を駆動させるものである。アイリス用モータドライバ４０２は、アイリスモータ４０２＿２を介してアイリス３０２の開閉を行うものである。このタイミングジェネレータ４０３は、ＣＣＤ３０３に露光開始および露光終了を告げるものでありいわゆるシャッタスピードに相当する。
【００３９】
このデジタルカメラ１には、ＣＰＵ４０が備えられている。このＣＰＵ４０には、ＥＥＰＲＯＭ４０４が内蔵されている。このＥＥＰＲＯＭ４０４は書き換え可能な不揮発性メモリで構成されている。また、このＣＰＵ４０にはＲＯＭ４０５が内蔵されており、このＲＯＭ４０５内にはプログラムが格納されている。このプログラムの手順にしたがってデジタルカメラ１の動作がＣＰＵ４０により制御される。
【００４０】
このデジタルカメラ１には、ＣＤＳＡＭＰ３０４、およびＡ／Ｄ変換部３０５が備えられている。ＣＤＳＡＭＰ３０４は、ＣＣＤ３０３から出力されたアナログ画像信号の雑音を低減する処理等を行ない、Ａ／Ｄ変換部３０５は、このアナログ画像信号をデジタル画像信号に変換する。
【００４１】
また、このデジタルカメラ１には、画像入力コントローラ３０６、および画像信号処理部３０７が備えられている。画像入力コントローラ３０６は、Ａ／Ｄ変換部３０５でデジタル画像信号に変換された画像データをデータバス４０６を介してＳＤＲＡＭ４０７に転送する。このＳＤＲＡＭ４０７は、画像データが一時的に記憶されるメモリである。画像信号処理部３０７は、ＳＤＲＡＭ４０７に記憶された画像データの画像処理を実行する。
【００４２】
また、このデジタルカメラ１には、ＡＦ検出部３０８、およびＡＥ＆ＡＷＢ検出部３０９が備えられている。ＡＦ検出部３０８は画像のピント情報を検出し、ＡＥ＆ＡＷＢ検出部３０９は画像の輝度情報と白色バランス情報を検出する。
【００４３】
また、このデジタルカメラ１には、暗号鍵生成部５０１、暗号化部５０２、復号化部５０３、計測部５０４、および消去部５０５が備えられている。
【００４４】
この暗号鍵生成部５０１は、デジタルカメラ１の固有情報、このデジタルカメラ１に装着された記録メディア１８の固有情報、およびコンピュータ１００の固有情報から３種類の暗号鍵を生成するものである。
【００４５】
暗号化部５０２は、暗号鍵生成部５０１で生成した３種類の暗号鍵を用いて、画像データを暗号化するものである。
【００４６】
復号化部５０３は、暗号鍵生成部５０１で生成した３種類の暗号鍵を用いて、画像データを復号化するものである。
【００４７】
計測部５０４は、通信部５０６でのコンピュータ１００の固有情報の受信時点からの時間を計測するものである。
【００４８】
消去部５０５は、計測部５０４で所定時間が計測された時点で、コンピュータ１００の固有情報から作成した暗号鍵とコンピュータ１００の固有情報とを消去するものである。
【００４９】
暗号鍵生成部５０１、暗号化部５０２、復号化部５０３、計測部５０４、および消去部５０５の詳細は後で述べる。
【００５０】
また、このデジタルカメラ１には、ＹＣ変換処理部３１０、圧縮伸長処理部３１１、ＶＲＡＭ３１２が備えられている。ＹＣ変換処理部３１０は、データバス４０６を介して入力されたデジタルの画像信号を輝度（Ｙ）と色（Ｃ）とで表されるＹＣ信号に変換するものである。圧縮伸長処理部３１１は、ＣＰＵ４０の指示によりＹＣ信号に変換された画像データを圧縮処理するものである。ＶＲＡＭ３１２は、液晶表示パネル２７に表示される内容を保持しているメモリであり、Ａ領域、Ｂ領域の２つのバッファ領域を有している。
【００５１】
また、このデジタルカメラ１には、Ｖｉｄｅｏ／ＬＣＤエンコーダ３１３、メディアコントローラ３１４、および閃光発光制御部３１５が備えられている。Ｖｉｄｅｏ／ＬＣＤエンコーダ３１３は、画像データをビデオ信号に変換して液晶表示パネル２７に導く。メディアコントローラ３１４は、画像データを記録メディア１８に記憶するための制御を行なう。閃光発光制御部３１５は、閃光発光窓１３を通して、閃光発光をするものである。
【００５２】
このデジタルカメラ１には、操作部２０、および電源部２２＿１が備えられている。この操作部２０は、図２に既に説明したデジタルカメラ１の背面２１および上面１４に備えられている各操作子の操作を受け付けてＣＰＵ４０に各操作子の処理の命令を出すものである。この電源部２２＿１は、電源投入操作を受けて各ブロックへ給電するものである。
【００５３】
次に、本発明の第１実施形態であるデジタルカメラ１の撮影動作について説明する。
【００５４】
このデジタルカメラ１の撮影動作は統合的にＣＰＵ４０により制御される。
【００５５】
先ず、使用者が電源ボタン２２を押して電源投入操作をすると、操作部２０が電源投入操作を受け付けて、ＣＰＵ４０では、ＲＯＭ４０５のプログラムの実行が開始され、液晶表示パネル２７に画像が表示されるとともに、撮影条件の設定操作やレリーズボタン１５の操作を受け付ける状態となる。
【００５６】
使用者によりレリーズボタン１５が押されることにより、操作部２０がＣＰＵ４０に撮影開始の信号を送る。この撮影開始の信号を受けて、アイリス３０２がアイリス用モータドライバ４０２によって開けられると共にタイミングジェネレータ４０３が作動されることによりＣＣＤ３０３が露光される。続いて、ＣＣＤ３０３に結像されている被写体を表わす画像データがＣＤＳＡＭＰ３０４に出力される。ＣＤＳＡＭＰ３０４では、ＣＣＤ３０３から出力された画像データの雑音の低減が行なわれその雑音が低減された画像データがＡ／Ｄ変換部３０５に供給される。このＡ／Ｄ変換部３０５では、アナログ信号からデジタル信号に変換されたＲＧＢからなる画像データが生成される。生成された画像データは、画像信号処理部３０７で画像処理が施されて、ＳＤＲＡＭ４０７に記憶される。ＳＤＲＡＭ４０７に記憶された画像データは、ＹＣ変換処理部３１０に供給されて、ＲＧＢ信号からＹＣ信号に変換される。ＹＣ信号に変換された画像データは、圧縮伸張処理部３１１において圧縮処理が施される。
【００５７】
続いて、圧縮処理が施された画像データは、ＶＲＡＭ３１２に保存される。続いて、ＶＲＡＭ３１２に保存された画像データは、Ｖｉｄｅｏ／ＬＣＤエンコーダ３１３でビデオ信号に変換され液晶表示パネル２７に導かれる。
【００５８】
ここで、使用者が、画像データを保存したい場合には、以下の暗号化処理が施されて暗号化された画像データが記録メディア１８もしくは記憶部５０８に保存される。
【００５９】
なお、第１の実施形態のデジタルカメラ１では、上述した通り、コンピュータ１００の固有情報（ＰＣＩＤ）が記憶部５０８に既に記憶されている。
【００６０】
図５は、デジタルカメラの暗号化処理を説明するためのフローチャートである。
【００６１】
このデジタルカメラの暗号化処理は、使用者がメニュー切替および実行キー２４により画像データの保存を選択したときに開始される。
【００６２】
暗号鍵生成部５０１は、記憶部５０８からコンピュータ１００の固有情報（ＰＣＩＤ）を取得し、コンピュータ１００の固有情報（ＰＣＩＤ）に基づいて暗号鍵を生成する（ステップＳ２００）。
【００６３】
暗号化部５０２は、第一段の暗号化処理として、この暗号鍵を用いて画像データの暗号化の処理を実行する（ステップＳ２０２）。
【００６４】
ここで、暗号化の処理として、公知技術として知られている共通鍵暗号化方式の代表的な規格であるＤＥＳ（Ｄａｔａ  Ｅｎｃｒｙｐｔｉｏｎ  Ｓｔａｎｄａｒｄ）を使用した。
【００６５】
このＤＥＳ方式では、暗号鍵を用いて暗号化する前のデータを６４ビット毎のブロックに分けて、各ブロック毎に暗号化を行う。また、復号化についても、暗号鍵を用いて復号化する前のデータを６４ビット毎のブロックに分けて、各ブロック毎に復号化を行う。
【００６６】
このＤＥＳの処理を３回繰り返し暗号化して暗号化したデータを作成し、復号化するときには、このＤＥＳの処理を３回繰り返して復号化して元のデータを復号化する方式が、トリプルＤＥＳ方式である。本発明の第１実施形態であるデジタルカメラ１では、トリプルＤＥＳ方式を採用した。なお、ＤＥＳ方式では、暗号化に用いられる鍵と復号化に用いられる鍵とは共通のものを使用するので、本発明の第１実施形態の説明においては、暗号鍵の用語で統一した。
【００６７】
続いて、暗号鍵生成部５０１は、記憶部５０８からデジタルカメラ１の固有情報（デジタルカメラＩＤ）を取得し、デジタルカメラ１の固有情報（デジタルカメラＩＤ）に基づいて暗号鍵を生成する（ステップＳ２０４）。
【００６８】
暗号化部５０２は、第ニ段の暗号化処理として、このデジタルカメラ１の固有情報（デジタルカメラＩＤ）に基づいて作成された暗号鍵を用いて画像データを暗号化する（ステップＳ２０６）。
【００６９】
次に、ステップＳ２０８では、記録メディア１８の固有情報（記録メディアＩＤ）が記憶部５０８に記憶されているか否かの判定がなされる。
【００７０】
記録メディア１８の固有情報（記録メディアＩＤ）が、記憶部５０８に記憶されているとの判定がなされたときには、暗号鍵生成部５０１は、記憶部５０８から記録メディア１８の固有情報（記録メディアＩＤ）を取得し、この記録メディア１８の固有情報（記録メディアＩＤ）に基づいて暗号鍵を生成する（ステップＳ２１０）。
【００７１】
暗号化部５０２は、第三段の暗号化処理として、この記録メディア１８の固有情報（記録メディアＩＤ）に基づいて作成された暗号鍵を用いて画像データを暗号化する（ステップＳ２１２）。
【００７２】
一方、記録メディア１８の固有情報（記録メディアＩＤ）が、記憶部５０８に記憶されずとの判定がなされたときには、暗号化部５０２は、コンピュータ１００の固有情報（ＰＣＩＤ）に基づいて作成された暗号鍵を用いて、画像データを暗号化する（ステップＳ２１４）。ここで、ステップＳ２００でコンピュータ１００の固有情報（ＰＣＩＤ）に基づいて作成された暗号鍵とステップＳ２１４でコンピュータ１００の固有情報（ＰＣＩＤ）に基づいて作成された暗号鍵とは、暗号鍵のデータ内容が異なっている。
【００７３】
以上のステップを経ることで、この処理ルーチンが終了し、トリプルＤＥＳにより暗号化された画像データが生成される。
【００７４】
暗号化部５０２では、記録メディア１８の固有情報（記録メディアＩＤ）に基づいて作成された暗号鍵を用いた場合には、トリプルＤＥＳにより暗号化された画像データを記録メディア１８に記録する。
【００７５】
一方、図５のステップＳ２１４でコンピュータ１００の固有情報（ＰＣＩＤ）を暗号鍵として暗号化処理を行った場合には、暗号化部５０２では、記憶部５０８に画像データを記憶する。
【００７６】
次に、暗号化された画像データを復号化する場合について説明する。
【００７７】
図６は、デジタルカメラの復号化処理を説明するためのフローチャートである。
【００７８】
ここで、暗号化された画像データは、以下に説明する復号化処理を３回実行することにより、初めて元の画像データが得られる。
【００７９】
このデジタルカメラの復号化処理は、使用者がメニュー切替および実行キー２４により復号化したい画像データの再生を選択したときに開始される。
【００８０】
暗号鍵生成部５０１は、記憶部５０８からコンピュータ１００の固有情報（ＰＣＩＤ）を取得する（ステップＳ３００）。
【００８１】
続いて、暗号鍵生成部５０１は、記録メディア１８の固有情報（記録メディアＩＤ）が、記憶部５０８に記憶されているか否かを確認する。
【００８２】
記録メディア１８の固有情報（記録メディアＩＤ）が、記憶部５０８に記憶されていると判定された場合は、暗号鍵生成部５０１は、記憶部５０８から記録メディア１８の固有情報（記録メディアＩＤ）を取得し、この記録メディア１８の固有情報（記録メディアＩＤ）に基づいて暗号鍵を生成する（ステップＳ３０４）。
【００８３】
続いて、復号化部５０３は、第一段の復号化処理として、この記録メディア１８の固有情報（記録メディアＩＤ）に基づいて作成された暗号鍵を用いて、記録メディア１８に記録されている画像データを復号化する（ステップＳ３０６）。
【００８４】
一方、記録メディア１８の固有情報（記録メディアＩＤ）が、記憶部５０８に記憶されずと判定された場合には、記憶部５０８に保存されている画像データを復号化する。そのため、暗号鍵生成部５０１は、コンピュータ１００の固有情報（ＰＣＩＤ）に基づいて暗号鍵を生成する。生成する暗号鍵は、図５のステップＳ２１４で生成した暗号鍵と同一である。続いて復号化部５０３が、第一段の復号化処理として、この暗号鍵を用いて記憶部５０８に保存されている画像データの復号化の処理を実行する（ステップＳ３１４）。
【００８５】
ここで、復号化の処理も、上述したトリプルＤＥＳ（Ｄａｔａ  Ｅｎｃｒｙｐｔｉｏｎ  Ｓｔａｎｄａｒｄ）によって行われる。
【００８６】
続いて、暗号鍵生成部５０１は、記憶部５０８からデジタルカメラ１の固有情報（デジタルカメラＩＤ）を取得し、デジタルカメラ１の固有情報（デジタルカメラＩＤ）に基づいて暗号鍵を生成する（ステップＳ３０８）。
【００８７】
復号化部５０３は、第ニ段の復号化処理として、デジタルカメラ１の固有情報（デジタルカメラＩＤ）に基づいて作成された暗号鍵を用いて、ステップＳ３０６もしくはステップＳ３１４で復号化された画像データを復号化する（ステップＳ３１０）。
【００８８】
復号化部５０３は、第三段の復号化処理として、コンピュータ１００の固有情報（ＰＣＩＤ）に基づいて作成された暗号鍵を用いて、画像データを復号化する（ステップＳ３１２）。
【００８９】
上記のステップを経ることにより、トリプルＤＥＳによる復号化された画像データが再生されて、液晶表示パネル２７に表示される。
【００９０】
以上説明したように、本発明の第１実施形態のデジタルカメラ１によれば、デジタルカメラ１を記録メディア１８ごと盗まれたり紛失した場合であっても、第３者が３種類の暗号鍵で暗号化していることを知ることは困難である。また、デジタルカメラ１の固有情報を用いて１種類の暗号鍵を生成して暗号化する方式に比べて、暗号化が複雑化するため復号化も困難になり、画像データが保護されて安全性が高められる。
【００９１】
以上で、本発明の第１実施形態の説明を終了し、本発明の第２実施形態について説明する。
【００９２】
なお、本発明の第１実施形態本発明と本発明の第２実施形態とでは、内部構成が一部異なるが、それ以外はほぼ同様の構成を有するため、同じ要素については同じ符号を付して説明を省略し、相違点について説明する。
【００９３】
本発明の第２実施形態のデジタルカメラ１では、通信部５０６がコンピュータの固有情報（ＰＣＩＤ）を受信することにより、記憶部５０８にコンピュータの固有情報（ＰＣＩＤ）が記憶され、続いて、コンピュータの固有情報を時間管理する処理が実行される。
【００９４】
図７は、コンピュータの固有情報を時間管理する処理を説明するためのフローチャートである。
【００９５】
まず、通信部５０４は、コンピュータの固有情報（ＰＣＩＤ）を受信する（ステップＳ４００）。
【００９６】
計測部５０４では、通信部５０４がコンピュータの固有情報（ＰＣＩＤ）の受信したことを受けて、その受信時点から時間を計測する（ステップＳ４０２）。
【００９７】
計測部５０４では、所定時間が経過したか否かの判定をステップＳ４０４で行う。
【００９８】
ここで、所定時間が経過していないとの判定がなされたときには、ステップＳ４０４の判定を繰り返すループ処理を行う。
【００９９】
一方、所定時間が経過したとの判定がなされたときには、ステップ４０６に進み、消去部５０５によって、コンピュータの固有情報（ＰＣＩＤ）とコンピュータの固有情報（ＰＣＩＤ）から作成された暗号鍵が消去される（ステップＳ４０６）。
【０１００】
続いて、計測部５０４は計測を終了し（ステップＳ４０８）、この処理ルーチンは終了する。
【０１０１】
この本発明の第２実施形態のデジタルカメラ２によれば、コンピュータ１００の固有情報を時間管理する処理を採用することで、コンピュータ１００の固有情報（ＰＣＩＤ）とコンピュータ１００の暗号鍵とが所定時間経過後に消去される。以後、画像データの読み出しには再度コンピュータ１００に接続する必要が生じるので、画像データの読み出しが極めて困難になり、撮影装置に外部機器の固有情報および外部機器の暗号鍵を保持し続けるよりも、さらに画像データの安全性が高められる。
【０１０２】
以上説明したように、本発明によれば、撮影装置を記録メディアごと盗まれたり紛失した場合であっても、記録メディアに記録されている画像データの読み出しを防ぐ工夫が施された撮影装置を提供することができる。
【図面の簡単な説明】
【０１０３】
【図１】本発明の第１実施形態であるデジタルカメラを示す外観斜視図である。
【図２】図１に示すデジタルカメラを背面から見た背面図である。
【図３】コンピュータに接続されたデジタルカメラの内部の構成を示す図である。
【図４】本発明の第１実施形態であるデジタルカメラがコンピュータの固有情報を取得する処理を説明するためのフローチャートである。
【図５】デジタルカメラの暗号化処理を説明するためのフローチャートである。
【図６】デジタルカメラの復号化処理を説明するためのフローチャートである。
【図７】コンピュータの固有情報を時間管理する処理を説明するためのフローチャートである。
【符号の説明】
【０１０４】
１    デジタルカメラ
１１  デジタルカメラ１の前面
１２  対物レンズ
１３  閃光発光窓
１４  デジタルカメラ１の上面
１５  レリーズボタン
１６  デジタルカメラ１の側面
１７  記録メディア装着口
１８  記録メディア
２０  操作部
２１  デジタルカメラ１の背面
２２  電源ボタン
２２＿１  電源部
２３  モードスイッチ
２４  メニュー切替および実行キー
２５  広角ズームキー
２６  望遠ズームキー
２７  液晶表示パネル
４０  ＣＰＵ
１００  コンピュータ
３０１  撮影レンズ
３０２  アイリス
３０３  ＣＣＤ
３０４  ＣＤＳＡＭＰ
３０５  Ａ／Ｄ変換部
３０６  画像入力コントローラ
３０７  画像信号処理部
３０８  ＡＦ検出部
３０９  ＡＥ＆ＡＷＢ検出部
３１０  ＹＣ変換処理部
３１１  圧縮伸長処理部
３１２  ＶＲＡＭ
３１３  ＶＩＤＥＯ／ＬＣＤエンコーダ
３１４  メディアコントローラ
４０１  レンズ用モータドライバ
４０１＿２  レンズモータ
４０２  アイリス用モータドライバ
４０２＿２  アイリスモータ
４０３  タイミングジェネレータ
４０４  ＥＥＰＲＯＭ
４０５  ＲＯＭ
５０１  暗号鍵生成部
５０２  暗号化部
５０３  復号化部
５０４  計測部
５０５  消去部
５０６  通信部
５０７  通信インターフェース（Ｉ／Ｆ）部
５０８  記憶部
５０９  通信ケーブル
【図１】
2007116235.tif 000003
【図２】
2007116235.tif 000004
【図３】
2007116235.tif 000005
【図４】
2007116235.tif 000006
【図５】
2007116235.tif 000007
【図６】
2007116235.tif 000008
【図７】
2007116235.tif 000009